(57)【要約】【課題】従来の片方の眉毛だけをきれいに描ける眉毛描き用プレートでは、そのプレートを裏返して使用することで左右対称な形の眉毛を描くことはできるが、左右の眉毛の間隔および上下の位置ならびに傾きをそのプレートで確定することはできない。【解決手段】一枚の眉毛描き用プレートを使用することで、簡単に眉毛の形を左右対象に整え、眉毛の長さおよび左右の眉毛の間隔や上下の位置ならびに傾きをバランスを良く確定し、きれいに描くことができる。【選択図】図１
2011110394.tif 000002
【特許請求の範囲】
【請求項１】
プレートの下部の左右には保持部が形成され、中央部には描きたいと思う理想の眉毛の形をした、第一の基準点、眉頭部、眉頂部、および眉尻部を備えた開口部が形成されており、
該開口部の水平の基準となる基準線が、前記第一の基準点並びにプレートの眉頭部側端部上に設けられた第二の基準点を通って前記プレート上に表示され、かつ、該基準線の眉頭部側端部には、第二の基準点から所定長さ分の目盛りが付されており、
また、眉毛の角度の微妙な調整を左右一定にすることができるように、基準線の眉頭部側端部における上側と下側に複数の角度指示線を備え、
さらに、眉尻の長さを調整することができるように、該開口部の眉尻部の上側と下側には眉尻の長さ指示目盛りを備え、
かつ、表裏どちら側からでも基準線や目盛り，角度指示線および眉尻の長さ指示目盛りが確認でき、使用者の眉や皮膚も見えるような透明か半透明で可撓性のある材料で形成された眉毛描き用プレート。
【請求項２】
前記眉毛描き用プレートにおいて、マーク記入用切れ込みが眉頭部側端部の基準線に形成されていることを特徴とする請求項１に記載の眉毛描き用プレート。
【請求項３】
前記眉毛描き用プレートにおいて、基準線上に反対側の眉頭突端部となる箇所に切り取り線を設け、
プレートの眉頭部側端部の第二の基準点上を切り取り使用できるように形成されていることを特徴とする請求項１に記載の眉毛描き用プレート。
【請求項４】
前記眉毛描き用プレートにおいて、所定箇所に固定具を装着可能なプレート連結部を形成したことを特徴とする請求項１〜３のいずれかに記載の眉毛描き用プレート。
【請求項５】
後頭部に回る伸縮性バンド、ベルト、紐などから形成され、かつ、必要に応じて、面ファスナー、スナップ、ホックなどの長さ調節機構あるいは脱着機構が取り付けられた係止部材と、
必要に応じて１８０°回転する係止部材連結部と、
眉頭部側端部に連結する方が眉尻部側端部に連結するよりも長くなっている紐やゴムなどで形成された連結部材を備え、
前記請求項４に記載の眉毛描き用プレートに形成されたプレート連結部に前記連結部材を係合することで取り付けられ、該眉毛描き用プレートを顔面に被着できるようにしたことを特徴とする固定具。
【発明の詳細な説明】
【技術分野】
【００１】  本発明は、眉毛描き用プレートおよび固定具に関する。
【背景技術】
【００２】  従来の眉毛描き用プレートは、特許文献１および２のような、左右の眉毛のどちらか一方の眉毛について、きれいに眉毛を描けるために考えられたものがある。【００３】  また、特許文献３および４のように、左右一対の眉型が並んでいるプレートが帯状部材で顔面に保持され、眉毛をきれいに描けるようにしたものがある。【００４】
【特許文献１】  特許  ４３５０７８７号公報
【特許文献２】  特開平０９−１００３４
【特許文献３】  特開０９−０７０３１８号公報
【特許文献４】  特開２００９−２８１３４号公報
【発明の開示】
【発明が解決しようとする課題】
【００５】  眉毛描き用プレートについてその目的は、プレートに形成された描きたいと思う眉毛の形をした開口部を利用し、左右の眉毛の形をきれいに整え、眉毛の長さおよび傾きならびにそれぞれの位置のバランスを良くすることである。一般的に知られている理想的な眉毛の位置と形は、図１４で示すように、眉頭２５の位置は小鼻内側と目頭の延長線の間であり、眉山２６の位置は黒目の外側と目尻の延長線の間であり、眉尻２７は小鼻と目尻の延長線と目尻の延長線の間で、眉尻の高さは眉頭の下の線より下にしないということである。【００６】  しかし、従来の片方の眉毛だけをきれいに描けるプレートでは、そのプレートを裏返して使用することで左右対称な形の眉毛を描くことはできるが、左右の眉毛の間隔および上下の位置並びに傾きを確定することはできない。【００７】  また、左右一対の眉型が並んでいるプレートが帯状部材で顔面に保持され、眉毛をきれいに描けるようにしたものは、その一対の眉は常に同じ間隔で同じ形に描くことができるが、使用する人に合わせ眉毛の間隔の調整をしなければならず、また、眉毛の傾きの微妙な調整はできない。【００８】  本発明はこのような従来の構成が有していた問題を解決しようとするものであり、一枚のプレートを使用することで、簡単に眉毛の形を左右対象に整え、眉毛の長さおよび左右の眉毛の間隔や上下の位置並びに傾きをバランス／良く確定し、きれいに描くことができ、さらに、固定具を使用することにより、使用者の両手が自由に使え、かつ長時間施術するのに便利である。
【課題を解決するための手段】
【００９】  本発明は、上記目的を達成するために、眉毛描き用プレートに描きたいと思う理想の眉毛の形をした開口部が形成され、この開口部以外の部分に、左右の眉頭の突端部の位置を決めるための基準点、水平な基準線および目盛りを設ける。【０１０】  そして、眉毛の角度の微妙な調整を左右一定にすることができるように、上記基基準線の眉頭部側端部における上側と下側に複数の角度指示線を設け、眉毛の長さを調整できるように、眉毛描き用プレートの眉尻部の開口部の上側と下側に目盛りを設ける。【０１１】  また、眉毛描き用プレートを保持する固定具を使用する。
【発明の効果】
【０１２】  上述したように、眉頭部の水平な基準線と目盛りにより、基準線上に左右の眉頭の突端部となる二箇所の基準点を決めることができ、左右の眉毛の間隔および上下の位置をずれることなく理想の位置に確定することができる。【０１３】  また、上記基準線を中心に眉頭部側端部に角度を表す目盛りを設けることで、左右の眉毛の微妙な角度の調整を一定にすることができ、使用者の好みにより、バランスよく眉尻を上げたり下げたりすることができる。さらに、眉尻部の開口部の上側と下側に設けた目盛りを利用することで、使用者の眉毛を理想の長さに調整することが可能である。【０１４】  そして、眉毛描き用プレートを保持する固定具を使用することで、使用者の両手が自由に使え、かつ長時間施術するのに便利である。【０１５】  以上のように、本発明の眉毛描き用プレートは、一枚のプレートで、簡単に眉毛の形を左右対象に整え、左右の眉毛の間隔や上下の位置、および眉毛の傾きならびに長さをバランス良く理想の位置に確定することができ、きれいに描くことができる。
【発明を実施するための最良の形態】
【０１６】  以下、本発明の実施の形態を図１〜図１４に基づいて説明する。【０１７】  図１においては、眉毛描き用プレート１に、描きたいと思う理想の眉毛の形をした開口部２が形成されている。なおこの開口部２には、第一の基準点７、眉頭部３、眉頂部４、および眉尻部５が構成されており、プレート１下部の左右には手に持って作業がしやすいように保持部１３を設けている。【０１８】  プレート１の眉頭部側端部１１から開口部２の水平の基準となる基準線６が、眉頭部３の突端の第一の基準点７並びにプレートの眉頭部側端部１１上に設けられた第二の基準点７ｂを通るように眉尻部側端部１２まで表示されてある。なお、この第二の基準点７ｂから所定の長さ分の目盛り８が付されており、この第一の基準点７、第二の基準点７ｂ、基準線６と目盛り８により、左右眉頭の突端部の位置を決めることができ、常に左右の眉毛の間隔および上下の位置をずれることなく確定することができる。これは、一枚のプレート１上で、基準線上の第一の基準点７および第二の基準点７ｂという二箇所の位置を決めることで、プレート１がずれることが無くなり、開口部２の位置を左右対称に確定できることである。【０１９】  また、眉頭部側端部１１の基準線６の上側と下側には開口部２の角度を調整するための角度指示線９が複数設けられている。【０２０】  さらに、開口部２の眉尻部５の上側と下側には一定間隔で眉尻の長さ指示目盛り１０が設けられており、使用者の眉毛を理想の長さに調整することが可能である。【０２１】  以上がプレート１に形成されている要素であるが、左右両方の眉を施術するため、プレート１は表裏どちら側からでも基準線６や目盛り８，角度指示線９、および長さ指示目盛り１０が確認でき、また、使用者の眉や皮膚も見えるよう透明か半透明のもので、かつ可撓性のある材料で形成されるのが望ましい。【０２２】  次に図２〜図９においてプレート１の使用法を説明する。【０２３】  図２において、左右どちらか一方の眉から始めるが、まず、使用者の片方の眉にプレート１の保持部１３を持ってあてがい、眉の眉頭の突端にしようとする箇所に第一の基準点７を合わせ、基準点７ａとする。【０２４】  次に、図２および図３に示すように、プレート１の眉頭部側端部１１の基準線６を反対側の眉１５の眉頭の突端にしようとする箇所（例えば７ｃ）の同一線上に合わせ第二の基準点７ｂとし、施術しようとする眉毛の間隔（例えば基準点７ａより７ｃまでの長さｘ）を目盛り８にて決める。【０２５】  次に、開口部２に形成されている理想の眉毛の形に従って施術する。なお、眉尻の長さを開口部２と異なる仕様にしたい場合は、図５に示すように、プレート１の眉尻部５の上側と下側に設けてある眉尻の長さ指示目盛り１０で任意の長さ（例えばｅ〜ｆを結んだ線）に変更できる。【０２６】  次に、図４に示すように、プレート１を裏返し、もう一方の眉にプレート１の保持部１３を持ちあてがう。このとき、プレート１の第一の基準点７を図２および図３で示した、第二の基準点７ｂに合わせる（図４の点線）。【０２７】  次に、プレート１の眉頭部側端部１１の基準線６を基準点７ａに合わせる（図４の点線）。そして、第一の基準点７を目盛り８を参考に基準線６上をずらして（例えば図３の７ｃの箇所）施術しようとする眉毛の間隔（例えば図３のｘ）にする。【０２８】  次に、［０２５］と同じように施術する。以上のように、基準線上の第一の基準点７および第二の基準点７ｂという二箇所の位置を決めることで、プレート１がずれることが無くなり、開口部２の位置を左右対称に確定することができ、左右の眉毛が理想の眉毛の形になり、かつ、眉毛の間隔や上下の位置もバランスが良く仕上げることができる。【０２９】  さらに、図６ａ、ｂに示すように、プレート１の基準線６を中心に角度を示す角度指示線９により、眉毛の微妙な角度の調整を左右一定にすることができ、使用者の好みにより、眉尻部５をバランスよく上げたり下げたりすることができる。【０３０】  角度指示線９の使用法は、［０２３］および［０２４］により示した第一の基準点７を中心にして、図６ａに示すように、プレート１の眉頭部側端部１１の第二の基準点７ｂを円周上となるように角度指示線９を参考に、上または下にわずかに回転させる（例えば７ｂをｙの位置に回転させる）と、図６ｂに示すように、開口部２が第一の基準点７を動かさずに決められた角度で回転することとなり、眉尻部５を上げたり下げたりすることができ、プレート１を裏返して同様に回転させれば、左右の眉毛の微妙な角度の調整を一定にすることができる。【０３１】  なお、上記［０２３］〜［０２７］に示す作業により眉毛の間隔を決めているが、使用者はそれぞれ眉毛の間隔が違うものである。そこで、図１で示した、プレート１の眉頭部側端部１１の基準線６上の目盛り８の箇所に、図７で示すように、プレート１上にマーク記入用切れ込み１７が形成されたものも考えられる。これは、図２および図３で示した基準線６上の目盛り８を利用せず、使用者が反対側の眉頭の突端にしようとする箇所（例えば図３の７ｃ）に、直接眉毛用ペンシルなどでマークし第二の基準点７ｂとすることができるマーク記入用切れ込み１７である。このマーク記入用切れ込み１７があることで、［０２６］および［０２７］に示した、第一の基準点７を目盛り８を参考に基準線６上をずらして（例えば図３の７ｃ）施術しようとする眉毛の間隔（例えば図３のｘ）にする、という作業を省略でき、施術作業がより簡単になる。【０３２】  さらに、使用者が自身専用のプレートとして使用するために図８ａ〜ｃに示すように使用することもある。使用者は、眉頭２５の位置が図１４で示すような理想的な眉頭の位置になるように、計測したり、マークしたりして、基準線上に左右の眉頭の突端部となる２箇所の第一の基準点７と第二の基準点７ｂを決め、プレート１の眉頭部側端部１１を切り取る。そこで、図８ｄに示すように、切り取り線１８をあらかじめ数本設けたり、プレート１の形状を、眉頭部側端部１１の長さを図８ｅや図８ｆのように短くしても良い。なお、理想とする左右の眉頭突端部の間隔、第一の基準点７〜第二の基準点７ｂと、プレート１の眉頭部側端部１１の基準線６の長さが同じ場合はそのまま使用する。このように、使用者の理想とする左右の眉頭突端部の間隔、つまり、第一の基準点７と第二の基準点７ｂの間隔がプレート１の眉頭部側端部１１の基準線６の長さと同じであれば、［０２��］および［０２７］に示した作業において、使用者が反対側の眉頭の突端にしようとする箇所（例えば７ｂと７ｃが同一の箇所である）が一度で決まるため、第一の基準点７を目盛り８を参考に基準線６上をずらして（例えば図３の７ｃ）施術しようとする眉毛の間隔（例えば図３のｘ）にする、という作業を省略でき、施術作業がより簡単になる。【０３３】  上記実施の形態は、使用者が片方の手でプレート１の保持部１３を持って眉にあてがい施術するか、施術者が施術する形態であるが、図９ａに示すように、プレート１にプレート連結部２０を形成し、係止部材２１と係止部材連結部２３、および、ひもやゴムなどの連結部材２２で連結するようにした固定具を被着し使用する形態もある。このように係止部材２１で固定する方法は、両手が自由に使え、かつ長時間施術するのに便利である。【０３４】  被着方法は、図９ｂのように、プレート１を施術しようとする眉毛を覆い最適な位置に来るように動かし、顔面に被着する。なお、反対側の眉毛を施術する場合は、プレート１を裏返して係止部材２１と連結し被着し直す。左右の眉毛の微妙な角度の調整をする場合などもプレート１および係止部材２１を施術しようとする眉毛の最適な位置に来るように動かして使用する。【０３５】  なお、係止部材２１は、後頭部に回る伸縮性バンド、ベルト、紐等から形成することができ、必要に応じて、長さ調整や脱着のために面ファスナー、スナップ、ホック等を取り付けたものが好ましく材質は特別限定するものではない。また、連結部材２２はひもやゴムなどに限定するものではなく、長さは、眉頭部側端部１１に連結する方が眉尻部側端部１２に連結するよりも長くなっている。プレート連結部２０や係止部材連結部２３も図１０に示すように、様々なバリエーションが考えられる。【０３６】  また、図１１ａ〜ｃに示すように、係止部材連結部２３が１８０°回転するようになっており、プレート１を連結部から取り外すことなく裏返しにすることができるものもある。【０３７】  図１２ａ〜ｉはプレート１、保持部１３および眉頭部側端部１１の様々な形のバリエーションであり、作業の効果が得られれば、図１０で示したプレート連結部２０や係止部材連結部２３を含め、これらの組み合わせは自由でありこれらに限定するものでない。【０３８】  図１３ａ〜ｍはプレート１の理想の眉毛の形をした開口部２の様々な形のバリエーションであるが、これらは、個人の好みや流行により変わるものであり、これらに限定するものではない。【０３９】  以上が本発明の実施の形態であるが、上記説明した実施の形態に限定されるものではなく、本発明の目的および効果を生じる範囲で必要に応じて適宜変更して実施することが可能である。
【図面の簡単な説明】
【０４０】
【図１】  本発明の眉毛描き用プレートを示す平面図
【図２】  本発明の眉毛描き用プレートの使用方法を示す図
【図３】  本発明の眉毛描き用プレートの使用方法を示す図２の部分拡大図
【図４】  本発明の眉毛描き用プレートの使用方法を示す図
【図５】  本発明の眉毛描き用プレートの使用方法を示す図
【図６】  本発明の眉毛描き用プレートの使用方法を示す図
【図７】  本発明の眉毛描き用プレートの使用方法を示す図
【図８】  本発明の眉毛描き用プレートの使用方法を示す図
【図９】  本発明の眉毛描き用プレートの固定具を示す図
【図１０】  本発明のプレート連結部と係止部材連結部のバリエーションを示す図
【図１１】  本発明の眉毛描き用プレートの係止部材連結部のを示す図
【図１２】  本発明の眉毛描き用プレートと保持部のバリエーションを示す図
【図１３】  本発明の眉毛描き用プレートの開口部のバリエーションを示す図
【図１４】  一般的に知られている理想的な眉毛の位置と形を示す図
【符号の説明】
【０４１】１    プレート              ２    開口部                ３    眉頭部
４    眉頂部                ５    眉尻部                ６    基準線
７    第一の基準点          ７ｂ  第二の基準点          ８    目盛り
９    角度指示線            １０  眉尻の長さ指示目盛り  １１  眉頭部側端部
１２  眉尻部側端部          １３  保持部                １５  眉
１７  マーク記入用切れ込み  １８  切り取り線            ２０  プレート連結部
２１  係止部材              ２２  連結部材              ２３  係止部材連結部
２５  眉頭                  ２６  眉山                  ２７  眉尻
【図１】
2011110394.tif 000003
【図２】
2011110394.tif 000004
【図３】
2011110394.tif 000005
【図４】
2011110394.tif 000006
【図５】
2011110394.tif 000007
【図６】
2011110394.tif 000008
【図７】
2011110394.tif 000009
【図８】
2011110394.tif 000010
【図９】
2011110394.tif 000011
【図１０】
2011110394.tif 000012
【図１１】
2011110394.tif 000013
【図１２】
2011110394.tif 000014
【図１３】
2011110394.tif 000015
【図１４】
2011110394.tif 000016
【手続補正書】
【提出日】平成22年4月16日(2010.4.16)
【手続補正１】
【補正対象書類名】特許請求の範囲
【補正対象項目名】請求項１
【補正方法】変更
【補正の内容】
【請求項１】
プレートの下部の左右には保持部が形成され、中央部には描きたいと思う理想の眉毛の形をした、眉頭部の突端である第一の基準点、眉頭部眉頂部、および眉尻部を備えた開口部が形成されており、
該開口部の水平の基準となる基準線が、前記第一の基準点並びにプレートの眉頭部側端部上に設けられた第二の基準点を通って前記プレート上に表示され、かつ、該基準線の眉頭部側端部には、第二の基準点から所定長さ分の目盛りが付されており、
また、眉毛の角度の微妙な調整を左右一定にすることができるように、基準線の眉頭部側端部における上側と下側に複数の角度指示線を備え、
さらに、眉尻の長さを調整することができるように、該開口部の眉尻部の上側と下側には眉尻の長さ指示目盛りを備え、
かつ、表裏どちら側からでも基準線や目盛り、角度指示線および眉尻の長さ指示目盛りが確認でき、使用者の眉や皮膚も見えるような透明か半透明で可撓性のある材料で形成された眉毛描き用プレート。
【手続補正２】
【補正対象書類名】特許請求の範囲
【補正対象項目名】請求項５
【補正方法】変更
【補正の内容】
【請求項５】
後頭部に回る伸縮性バンド、ベルト、紐から形成された係止部材と、
１８０°回転する係止部材連結部と、眉頭部側端部に連結する方が眉尻部側端部に連結するよりも長くなっている紐やゴムで形成された連結部材を備え、
前記請求項４に記載の眉毛描き用プレートに形成されたプレート連結部に前記連結部材を係合することで取り付けられ、該眉毛描き用プレートを顔面に被着できるようにしたことを特徴とする固定具。